(57)【要約】      （修正有）【課題】鉢植え物又は地植え物の倒れ、雨日霜の害、鳥害、虫害、及び水枯れを防ぐことができる装置の提供。【解決手段】立て棒杭に植物の雨日霜除け傘を容易に付けはずしのできる構造とする。植物の矯正と風害による倒れ防止は、地植えのものは傘立て棒杭を利用する。鉢物の鉢倒れの課題は、鉢倒れ防止枠と倒れ防止台水槽式鉢置き台を製作し解決する。留守による水枯れの問題は鉢置き台の水槽から自動吸水できる構造とし解決する。雨日霜の害、鳥害、虫害は、差し立て棒杭に立てた傘に容易に付けはずしできるカーテンにより解決する。【選択図】図２
0003106639.tif 000002
【実用新案登録請求の範囲】
【請求項１】
鉢底部を透明の水槽式二重底とし水槽に着色水や砂肥料水など重量物を入れ鉢倒れ防止と植物栽培管理ができる鉢倒れ防止枠と水槽式鉢置き台。
【請求項２】
請求項１の水槽式止鉢置き台中心部の鉢底固定差込具に水分を吸い上げる繊維布を付け鉢の植物の根と水槽水に接続できる水槽式鉢置き台。
【請求項３】
請求項１の水槽式鉢置き台と鉢倒れ防止枠の一体、単体、吊り構造。
【請求項４】
植物倒れ防止の棒に多角略円大小色彩絵柄などの傘などを植物に差し立て、この傘にカーテンを下げ裾を袋形状にしその袋に水や砂など重量物を入れ裾を固定できるようにしたカーテン差し立て棒具。
【請求項５】
請求項３と４の傘鳥追い風車など差し立て棒具を曲線形や連立できる構造とし立て位置調整ができる差し立て棒具。
【考案の詳細な説明】
【技術分野】
【０００１】  本案は、植物植木花木の鉢植え地植え物に名札や鳥追い風車など装飾物と雨日傘を差し立てる棒杭と、鉢物倒れ防止水槽式台具、地植え物の倒れ防止棒兼雨日霜除け保温用のカーテンが吊れる傘に関するものです。
【背景技術】
【０００２】  植物や園芸の鉢植え物の倒れ防止具や地植え支え棒は、従来直線のもので曲線形や連立構造の物はなく、この棒に傘や名札など差し立てられる物もありません。
また水槽構造で着色水を楽しめる鉢倒れ水枯れ防止の鉢置き台もありません。
【考案が解決しようとする課題】
【０００３】  従来の技術で述べた▲１▼植物の雨日霜除け設置具の課題。▲２▼植物の矯正と風害による倒れ鉢物の鉢倒れの課題。▲３▼霜除け保温の課題。▲４▼鉢倒れ防止鉢置き台の美観と植物栽培の課題、を傘と傘立て棒、水槽式鉢置き台、カーテンを使用して便利で、楽しく、美しく、安全に使用できる物を製作し解決することが課題です。
【考案が解決するための手段】
【０００４】  上記▲１▼の課題は雨日霜除け傘などが差し立てられる棒杭、曲線形、連立式の棒杭を製作、曲線形は地面に平行になっている地中差込み棒杭の上を足で踏み込み容易に確実に立てることができます。連立式の場合も同様の方法で棒杭を固定できます。
この棒杭に傘などを差し立てて課題の設置具とし問題を解決しています。
【０００５】  ▲２▼の課題の地植え物は前記▲１▼の差し立て棒杭を使用して防止します。鉢物の課題は鉢置き部と鉢置き台部の二つの構造にし、鉢置き台部を水槽構造にし中に水や砂など重量物を入れ鉢置き台を安定させ鉢はこの上に置き鉢倒れを防止します。
【０００６】  ▲３▼課題は、地植え物の傘差し立て棒杭に霜除け傘を付け傘にカーテンを吊ります。カーテンの裾を袋形状にし、この袋の部分に水や砂など重量物を入れ裾の乱れ捲れなどを防止します。霜除けと保温の課題を解決しています。
【０００７】  ▲４▼の課題は、水槽式鉢置き台を透明の材質で製作し、着色水、着色肥料、着色砂などカラフルな物にし、台の上に置く鉢の花との効果を上げることができます。
植物の栽培上の効果は、水槽式鉢置き台の中心部に設置した鉢倒れ防止用の凸棒に布または繊維物を設置し、台にのせた鉢底の穴から鉢の土部に突き刺します。
この凸棒に付けられた布繊維の片方は、水槽式鉢置き台の水中に浸かっていますので、栽培上の効果を上げることができ美観を保ち水枯れの課題を解決しています
【０００８】  なお、この水槽式鉢置き台は、鉢倒れ防止鉢枠と水槽台部を一体した物や鉢倒れ防止鉢粋部、水槽台部、吊り駕籠枠などを単独の製品とし、組み合わせ、単独使用ができる物とし園芸、菜園、美観や留守の補給水の問題などを解決し効果を上げています。
【考案を実施するための最良の形態】
【０００９】  考案の実施の形態を図面により課題解決順に説明します。
図１は、雨日霜よけ傘の差し立て棒杭の見取り図です。
（１）は、傘差し立て棒杭。（２）は、差し立てた傘を固定する止め具。（３）は、傘。
（４）は、傘の心棒に取り付けた差し立て棒への取り付け取り外し具。
（５）は、曲線形の差し立て棒。イは踏み込み足かけ部。ロは地中差込部。で足を乗せて踏み込みができるので容易に立てることができます。
図２は、雨日霜よけ傘の差し立て棒杭連立式の見取り図です。
Ａは平面見取り図。Ｂは側面見取り図です。
（１）は傘差し立て棒。（２）差し立て傘調整止め具。
（３）左右位置調整部。（４）左右の踏み込み棒と左右位置調整部をスライドさせる心棒。（５）は地中踏み込み部。で植え物の根本から少し離れた所に踏み込み棒が立てられるので植物を痛めずに済みます。
図３は、鉢植え物の鉢倒れ防止具の見取り図です。
Ａは平面見取り図。Ｂは側面見取り図です。
（１）鉢倒れ防止用の外枠。（２）鉢乗せ部。（３）鉢乗せ部の水切り傾斜部。
（４）鉢底乗せ部。（５）植え込み鉢の底穴から植え込み土の中に差し込む棒。
（６）は水分吸い上げ用の布心繊維物質。（７）水などを水槽部に入れる穴。
（８）は鉢置き台に乗せた鉢のガタツキ止めパッキン挟み込み具。
（９）は置き上げ台。（１０）は吊り具。で雨日霜よけ傘の差し立て棒杭は図１の物を使用します。これで留守にしても安全です。
図４は、日霜除け傘付けカーテン部分の説明見取り図です。
Ａは傘の内側から見た図。（１）は傘の骨です。
（２）は骨に付けたカーテンの吊り具。この吊り具にカーテンの吊り具を差込み吊ります。（３）は傘の心棒。（４）は傘の部分です。
Ｂ．はカーテンの外側からの平面図です。イ．は傘に吊る輪吊り具。
ロ．は吊り具スライド棒。ハ．は吊り具の縫い込み部です。ニ．はカーテンとカーテンの止め具。ホ．はカーテンの裾固定袋の縫い込みです。
ヘ．水砂など重量物の入れ口。ト．はカーテン。ホ．はカーテン固定重量物入れ袋形状部。リ．はカーテン止め具です。このカーテンを使用することにより日除け保温効果、種まき時、目吹き時の鳥類や害虫、強雨などから保護することができます。
【考案の効果】
【００１０】本考案は上述のとおりであります。
【図面の簡単な説明】
【００１１】
【図１】は本考案の雨日霜よけ傘の差し立て棒杭の直線形と曲線形の見取り図です。
【図２】は雨日霜よけ傘の差し立て棒杭の連立形式の見取り図です。
【図３】は鉢植え物の鉢倒れ防止具の、Ａは平面見取り図、Ｂは側面見取り図です。
【図４】は、日霜除け傘付けカーテン部分の説明見取り図で、Ａ．は傘の内側から見た図。Ｂ．はカーテンの外側からの平面図です。
【符号の説明】
図１の（１）（２）は直線形差し立て棒。（３）（４）は傘の符号です。
（５）は曲線形差し立て棒。イ．は曲がり部。ロ．は地中踏み込み部。
図２のＡ．（１）（２）（３）（４）（５）は連立形式差し立て棒の平面見取り図。
Ｂ．（１）（２）（３）（４）（５）は連立形式差し立て棒の側面見取り図符号です。
図３は鉢植え物鉢倒れ防止具の見取り図です。
Ａ．は平面見取り図で（１）から（１０）の符号で（９）は図略欠番。
Ｂ．は側面見取り図で（１）から（１０）の符号で（７）は図略欠番です。
図４のＡ．の（１）（２）（３）（４）は傘の内側から見た図。Ｂ．のイロハニホヘトチリは、日霜除け傘付けカーテン部分の説明見取り図符号です。
【図１】
0003106639.tif 000003
【図２】
0003106639.tif 000004
【図３】
0003106639.tif 000005
【図４】
0003106639.tif 000006
【手続補正書】
【提出日】平成16年5月25日(2004.5.25)
【手続補正２】
【補正対象書類名】実用新案登録請求の範囲
【補正対象項目名】全文
【補正方法】変更
【補正の内容】
【実用新案登録請求の範囲】
【請求項１】
透明の水槽に着色水や砂肥料水など重量物が入れられる水槽を鉢倒れ防止枠棒の台部とした水槽式鉢置き台。
【請求項２】
請求項１の水槽式鉢置き台の水入れ口と鉢底固定差込具に繊維布を付け水槽水が鉢の植物に接続できる水槽式鉢置き台。
【請求項３】
請求項１の水槽式鉢置き台と鉢倒れ防止枠に吊具をつけた構造の水槽式鉢置き台。
【請求項４】
鉢倒れ防止枠に雨日霜除け暖房または装飾用のカーテンをつけた水槽式鉢置き台。
【請求項５】
請求項４のカーテンの裾を袋形状にしその袋に着色水や砂など重量物が入れられ裾が固定できる水槽式鉢置き台。
【手続補正書】
【提出日】平成16年8月13日(2004.8.13)
【手続補正１】
【補正対象書類名】実用新案登録請求の範囲
【補正対象項目名】請求項４
【補正方法】変更
【補正の内容】
【請求項４】
請求項１の鉢倒れ防止枠棒に雨日霜除け暖房または装飾用のカーテンをつけた水槽式鉢置き台。